(57)【要約】【課題】抉じ開け破壊に対してフロントガードが強化された防盗ロック装置を提供する。【解決手段】筐体の側面壁に締付固定され、連結アーム部にシャックルが挿通される垂直連結孔を設けてある可動ベースと、扉前面に配置され、支持アーム部の背面側に前記連結アーム部が出入りする空洞部を形成し、前記空洞部の上下壁部にシャックル受孔を設け、係止部材の頭部受溝を背面に設けてあるフロントガードと、前記支持アーム部に内蔵固定され、ロータを施錠方向に回すことによって、クローの先端突起が前記シャックルのロック溝に係合して、前記シャックルを前記支持アーム部の前記シャックル受孔と前記連結アーム部の前記垂直連結孔の両者に係合した連結位置に保持するようにしたロック機構と、扉に固着され、扉前面に突出した頭部を前記フロントガードの前記頭部受溝に嵌合する係止部材とからなる。【選択図】図６
2011190669.tif 000002
【特許請求の範囲】
【請求項１】
自動販売機等の筐体の側面前端部に締付固定され、前端部に前後水平方向に形成した連結アーム部にシャックルが挿通される垂直連結孔を設けてあり、締付固定を解除したとき前後水平方向に移動可能な可動ベースと、
自動販売機等の扉前面に左右水平方向に配置され、一方の端部に前記ベースの前記連結アーム部に対面する支持アーム部を設けてあり、前記支持アーム部の背面側に前記連結アーム部が出入りする空洞部を形成してあり、前記空洞部の上下壁部を垂直方向に貫通するシャックル受孔を設けてあり、背面側に係止部材の頭部受溝を設けてあるフロントガードよりなり、
前記フロントガードの前記支持アーム部に内蔵固定され、前記ロータを施錠方向に回すことによって、クローの先端突起が前記シャックルのロック溝に係合して、前記シャックルを前記支持アーム部の前記シャックル受孔と前記連結アーム部の前記連結孔の両者に係合した連結位置に保持するようにしたロック機構と、
自動販売機等の扉に固着され、扉前面に突出した頭部を前記フロントガードの前記頭部受溝に嵌合する係止部材とからなり、  前記ロック機構の前記ロータを解錠方向に回すことによって、前記クローの前記先端突起を前記シャックルの前記ロック溝から引き出して、前記シャックルを前記連結アーム部の連結孔から脱出させ、前記筐体に対する前記可動ベースの締付固定を解除して、前記可動ベースの前記連結アーム部を前記支持アーム部の前記空洞部から引き出すようにした自動販売機等の防盗ロック装置。
【請求項２】
請求項１の防盗ロック装置において、前記係止部材を扉の前面壁の水平孔から扉の内側に挿入される水平ボルトと、扉の内側において前記水平ボルトに螺合されるナットとで構成し、前記フロントガードの背面側の部分に、前記水平ボルトの頭部が嵌合されるボルト頭部受を左右水平方向に長く形成してあり、前記ボルト頭部受溝の上面壁部と下面壁部に、前記頭部の環状鍔部が嵌合する鍔部受溝を左右水平方向に長く形成してあり、前記ナットを締め付けることによって前記フロントガードを扉の前面壁に締付固定するようにした自動販売機等の防盗ロック装置。
【発明の詳細な説明】
【技術分野】
【０００１】
本発明は、自動販売機や駐車場の料金精算機等において使用される防盗ロック装置に関するものである。
【背景技術】
【０００２】
一般に街頭設置の自動販売機等においては、防犯性の向上のために通常のメインロック装置に加えて防盗ロック装置を使用している。
典型的な防盗ロック装置は、自動販売機等の筐体の側面前端部に固着され、前端部に支持アーム部を設けてある固定ベースと、自動販売機等の扉前面に対面して配置され、基端部の連結アーム部を記支持アーム部に対し枢軸ピンで連結されたフロントガードと、支持アーム部に設けられ、連結アーム部を支持アーム部に対して回動不能に錠止するロック機構とからなるものである（特許文献１参照）。
【０００３】
この従来の防盗ロック装置では、フロントガードは、連結アーム部を支持アームに枢軸ピンで連結された１点固定方式の取付け構造であるため、扉に係止されていないフロントガードの先端部と扉前面間の隙間からバールの先端部を差し込み、バールによる抉じ開け動作を行なうことによって、基端部の枢軸ピンや軸受部が歪曲変形したり切断されることによって局部的に破壊され、フロントガードと固定ベースの連結が解除される危険性がある。
【先行技術文献】
【特許文献】
【０００４】
【特許文献１】特開２００７−３３２６８３号公報
【発明の概要】
【発明が解決しようとする課題】
【０００５】
本発明の課題は、扉前面側からのバール等による抉じ開け破壊に対して強化された自動販売機等の防盗ロック装置を提供することである。また、本発明の別の課題は、扉側の係止部材の位置に対応してフロントガードをスライドさせることによって、取付位置を任意に調整できる前記防盗ロック装置を提供することである。
【課題を解決するための手段】
【０００６】
本発明の請求項１の防盗ロック装置は、自動販売機等の筐体の側面前端部に締付固定され、前端部に前後水平方向に形成した連結アーム部にシャックルが挿通される垂直連結孔を設けてあり、締付固定を解除したとき前後水平方向に移動可能な可動ベースと、  自動販売機等の扉前面に左右水平方向に配置され、一方の端部に前記ベースの前記連結アーム部に対面する支持アーム部を設けてあり、前記支持アーム部の背面側に前記連結アーム部が出入りする空洞部を形成してあり、前記空洞部の上下壁部を垂直方向に貫通するシャックル受孔を設けてあり、背面側に係止部材の頭部受溝を設けてあるフロントガードとよりなり、
前記フロントガードの前記支持アーム部に内蔵固定され、前記ロータを施錠方向に回すことによって、クローの先端突起が前記シャックルのロック溝に係合して、前記シャックルを前記支持アーム部の前記シャックル受孔と前記連結アーム部の前記連結孔の両者に係合した連結位置に保持するようにしたロック機構と、  自動販売機等の扉に固着され、扉前面に突出した頭部を前記フロントガードの前記頭部受溝に嵌合する係止部材とからなり、
前記ロック機構の前記ロータを解錠方向に回すことによって、前記クローの前記先端突起を前記シャックルの前記ロック溝から引き出して、前記シャックルを前記連結アーム部の連結孔から脱出させ、前記筐体に対する前記可動ベースの締付固定を解除して、前記可動ベースの前記連結アーム部を前記支持アーム部の前記空洞部から引き出すようにしたものである。
【０００７】
本発明の請求項２の防盗ロック装置は、請求項１の発明の前記構成に加えて、前記係止部材を扉の前面壁の水平孔から扉の内側に挿入される水平ボルトと、扉の内側において前記水平ボルトに螺合されるナットとで構成し、前記フロントガードの背面側の部分に、前記水平ボルトの頭部が嵌合されるボルト頭部受を左右水平方向に長く形成してあり、前記ボルト頭部受溝の上面壁部と下面壁部に、前記頭部の環状鍔部が嵌合する鍔部受溝を左右水平方向に長く形成してあり、前記ナットを締め付けることによって前記フロントガードが扉の前面壁に締付固定されるものである。
【発明の効果】
【０００８】
このように本発明の請求項１の防盗ロック装置は、前記ロック機構の前記ロータを施錠方向に回すことによって、前記クローの先端突起を前記シャックルの前記ロック溝に係合させて、前記シャックルを前記支持アーム部の前記シャックル受孔と前記連結アーム部の前記連結孔の両者に係合した相互連結位置に保持する一方、前記ロック機構の前記ロータを解錠方向に回すことによって、前記クローの前記先端突起を前記シャックルの前記ロック溝から引き出すものであり、この操作によって前記シャックルを前記連結アーム部の連結孔から脱出させた後、前記筐体に対する前記可動ベースの締付固定を解除して、前記可動ベースを後退スライドさせて前記連結アーム部を前記支持アーム部の前記空洞部から引き出すものである。
【０００９】
上記防盗ロック装置では、前記フロントガードを一方の端部の前記支持アーム部において、前記シャックルにより前記可動ベースの前記連結部に対して相互連結する一方、前記フロントガードの他方に端部において、前記フロントガードの背後に隠蔽された前記係止部材により扉に固定するようにした二点固定方式の取付構造を採用しているため、バール等の抉じ開け破壊に対して前記フロントガードが強化され、自動販売機等の防盗性を高めることができる。
【００１０】
また、前記ロック機構の解錠操作によって前記可動ベースに対する前記フロントガードの連結を解除した後、前記連結アーム部の垂直連結孔に前記シャックルが対面しない位置まで前記可動ベースを後退スライドさせることによって、扉を開放操作することができるのであるが、前記フロントガードは前記係止部材によって扉に固定されているため、扉開放中における前記フロントガードの落下損傷や紛失の恐れがない。
【００１１】
本発明の請求項２の防盗ロック装置では、前記係止部材を扉３の前面壁の水平孔から扉の内側に挿入される水平ボルトと、扉の内側において前記水平ボルトに螺合されるナットとで構成してあり、前記フロントガードの背面側の部分に、前記水平ボルトの頭部が嵌合されるボルト頭部受溝を左右水平方向に長く形成してあり、前記ボルト頭部受溝の上面壁部と下面壁部に、前記頭部の環状鍔部が嵌合する鍔部受溝を左右水平方向に長く形成してあるため、扉側の係止部材の位置に対応してフロントガードを左右水平方向にスライドさせることによって、フロントガードの締付固定位置を任意に調整することができる。このフロントガードの締付固定位置の調整は、前記ボルト頭部受溝及び係止溝の長さ寸法の範囲内において行われ、前記係止部材は常にフロントガードの背後に隠蔽されている。
【図面の簡単な説明】
【００１２】
【図１】図１は本発明の一実施例に係る自動販売機等の防盗ロック装置のフロントガードと可動ベースの連結が解除された状態における正面斜め上からの斜視図である。
【図２】図２は図１の防盗ロック装置の背面斜め上からの斜視図である。
【図３】図３は図１の防盗ロック装置の底面斜め下からの斜視図である。
【図４】図４は図１の防盗ロック装置の右側面図である。
【図５】図５は図１の防盗ロック装置の正面図であり、フロントガードの支持アーム部を垂直断面で示してある。
【図６】図６は図５のＡ−Ａ線断面図である。
【図７】図７は図１の防盗ロック装置の左側面図であり、可動ベースの図示を省略してある。
【図８】図８は図１の防盗ロック装置に用いたフロントガードの正面図である。
【図９】図９は図８のフロントガードの底面図である。
【図１０】図１０は図８のフロントガードの背面図である。
【図１１】図１１は図８のフロントガードの左側面図である。
【図１２】図１２は図１０のＢ−Ｂ線断面図である。
【図１３】図１３は図１０のＣ−Ｃ線断面図である。
【図１４】図１４は図１０のＤ−Ｄ線断面図である。
【図１５】図１５は図１０のＥ−Ｅ線断面図である。
【図１６】図１６は図１０のＦ−Ｆ線断面図である。
【図１７】図１７は図１０のＧ−Ｇ線断面図である。
【図１８】図１８は図１の防盗ロック装置に用いたフロントガードの主裏板の背面図である
【図１９】図１９は図１８の主裏板の平面図である。
【図２０】図２０は図１の防盗ロック装置に用いたフロントガードの副裏板の正面図である。
【図２１】図２１は図２０の副裏板の平面図である。
【図２２】図２２は図１の防盗ロック装置に用いたシャックルの左側面図である。
【図２３】図２３は図２２のシャックルの背面図である。
【図２４】図２４は図２２のＨ−Ｈ線断面図である。
【図２５】図２５は図１の防盗ロック装置に用いたクローの正面図である。
【図２６】図２６は図２０のクローの平面図である。
【図２７】図２７は図２５のクローの右側面図である。
【図２８】図２８は図２５のＩ−Ｉ線断面図である。
【実施例】
【００１３】
図示の実施例に基づいて説明すると防盗ロック装置は、自動販売機等の筐体１の側面前端部に締付固定され、締付固定を解除したとき前後水平方向に移動可能な可動ベース２と、自動販売機等の扉３の前面に対面して左右水平方向に配置されるフロントガード４と、自動販売機等の扉３の内側から扉３に固着され、フロントガード４の背後に隠蔽される係止部材５と、可動ベース２とフロントガード４を相互に連結するシャックル６と、フロントガード４に内蔵固定され、ロータ８に連動装備したクロー９によってシャックル６を可動ベース２とフロントガード４の連結成立位置に保持するロック機構７とによって構成されている。
【００１４】
可動ベース２の後端部には前後水平方向に長い取付孔１０が２個設けられている。可動ベース２の後端部外側に当接されるボルト座１１の内面には、取付孔１０を通って筐体１の側面壁１２の貫通孔１３に挿入される２本のボルト１４がねじ込まれている。可動ベース２と側面壁１２の間には、フロントガード４の締付固定位置の調節度合いに応じて、適当な厚さ及び枚数のスペーサー１５が挿入され、筐体１の内部においてボルト１４に嵌めたナット１６と側面壁１２の間には板ワッシャー１７が挿入されている。可動ベース２はナット１６の締付によって筐体１に固定される。ナット１６による締付固定を解除したときには、可動ベース２は取付孔１０とボルト１４の案内によって前後水平方向に移動可能となる。
【００１５】
側面壁１２より扉３の側に張り出すように可動ベース２の前端部には、連結アーム部１８が前後水平方向に形成され、連結アーム部１８の中間部内面側には水平壁部１９が突出形成され、連結アーム部１８は垂直断面形状が横倒しＴ字状になっている。水平壁部１９の中央部には、シャックル６が挿通される垂直連結孔２０を設けてある。垂直連結孔２０は角を丸めた矩形状であり、その一辺の長さはシャックル６の直径よりも大きく形成されている。
【００１６】
フロントガード４の一方の端部、図示の実施例では右側端部には、扉３の前面から右側に突出する支持アーム部２１が形成されている。支持アーム部２１は、可動ベース２の連結アーム部１８の端面に対面する。支持アーム部２１には、垂直断面形状において横倒しＴ字状の空洞部２２が背面側から形成されており、空洞部２２は支持アーム部２１の前面には開口していない。空洞部２２には、連結アーム部１８が背面方向から挿入される。空洞部２２の上面壁部２３と下面壁部２４の中央部には、連結アーム部１８の水平壁部１９の垂直連結孔２０に対応した部位に上位側のシャックル受孔２５と下位側のシャックル受孔２６を垂直に貫通して設けてある。上面壁部２３の上側には、シャックル６を下方に移動付勢するシャックル付勢用バネ部材２８が収容されるバネ格納室２７を設けてある。圧縮コイルバネよりなるバネ部材２８の下端とシャックル６の頭部との間には、ワッシャー４２が挿入されている。
【００１７】
空洞部２２の下面壁部２４の下側には、抜け止めピン３０が収容されるピン格納室２９を設けてある。段付きの抜け止めピン３０の基端部は、ピン格納室２９の垂直内壁３１に設けた水平ピン受溝３２に挿入されている。ピン格納室２９の背面側開口部は副裏板３３によって閉塞され、副裏板３３は先端部側のビス挿入孔３４から支持アーム部１１のビス孔３５にねじ込まれるビス３６によって、支持アーム部１１に締付固着される。この副裏板３３の嵌め込み固着によって、水平ピン受溝３２が副裏板３３の基端板部３７により閉塞されるため、抜け止めピン３０は安定に固定保持される。
【００１８】
丸棒状のシャックル６の頭部外周面には、環状のロック溝３８が形成され、シャックル６の左側面には、ロック溝３８に連通したガイド溝３９が軸線方向に長く形成されている。ガイド溝３９の下端はシャックル６の左側面の下端部の手前で尽きている。ロック機構７のクロー９の先端突起４０がロック溝３８に係合することによって、シャックル６は上限位置に保持され、シャックル６は可動ベース２とフロントガード４の連結を維持している。クロー９は圧縮コイルバネよりなるクロー付勢用バネ部材４１によって右方向に移動付勢されている。クロー９は、水平支持アーム部２１のクロー格納溝４３に収容されている。主裏板４３を支持アーム部２１の背面側から嵌め入れ、ビス挿入孔４４，４５から支持アーム部２１のビス孔４６，４７にねじ込まれるビス４８，４９によって、主裏板４３を支持アーム部２１に締付固着することによって、クロー９は左右水平方向に移動可能に安定に保持される。
【００１９】
クロー９の基端部底面には、ジョイントカム５１の駆動突起５２が係合する従動溝５０が横断方向に形成されている。ジョイントカム５１の接続孔５３には、ロック機構７のロータ８の先端部が一体回転可能に嵌められている。ロック機構７のキー孔５５に正規キー５６を挿入して、ロータ８を解錠方向に回すと、クロー９がクロー付勢用バネ部材４１の付勢に抗して左方向に移動させられる。このクロー９の左方向移動によって、クロー９の先端突起４０がシャックル６のロック溝３８から脱出するため、シャックル６は自重及びシャックル付勢用バネ部材２８の押し下げ付勢によって、支持アーム部２１の上位側のシャックル受孔２５、連結アーム部１８の垂直連結孔６から抜け落ちる。これによって、移動ベース２の連結アーム部１８とフロントガード４の支持アーム部２１とのシャックル６による相互連結が解除される。
【００２０】
このようにシャックル６か降下するとき、見かけ上、抜け止めピン３０の先端部はシャックル６のガイド溝３９内を移動し、シャックル６が上記連結解除位置にまで降下したとき、ロック溝３９に係合し、シャックル６を当該下限位置に保持する。クロー９の基端部側面には、クロー９の先端突起４０の下面側の傾斜カム面５７が、シャックル６の移動軌跡上に突出するように位置規制する位置決め突起５４が設けられている。  主裏板４３には、クロー当板部５８を設けてあり、クロー９はクロー格納溝４３から脱出しないように案内保持している。
【００２１】
係止部材５は、扉３の前面壁５９の水平孔６０から扉３の内側に挿入される水平ボルト６１と、扉３の内側において水平ボルト６１に螺合されるナット６２とで構成されており、ナット６２と前面壁５９の間には平型バネワッシャー６３とカラーワッシャー６４が挿入されている。フロントガード４の背面と前面壁５９の間には長方形状のゴムシート６８が挿入されている。ゴムシート６８には、フロントガード４の締付固定位置の調整に対応するためにボルト逃げ溝８０を左右水平方向に形成してある。
フロントガード４の背面側には、水平ボルト６１の頭部６９が嵌合されるボルト頭部受溝６５が左右水平方向に長く形成されており、ボルト頭部受溝６５の上面壁部７０と下面壁部７１には、頭部６９の環状鍔部６７が嵌合する鍔部受溝６６，６６を左右水平方向に長く形成してある。ナット６２を締め付けることによって、フロントガード４は、扉３の前面壁５９に締付固定される。ボルト頭部受溝６５と鍔部受溝６６，６６の左端開口は、キャップ部材７８によって閉塞され、キャップ部材７８は六角穴付き止めビス７９によってフロントガード４に締付固定されている。
このフロントガード４の締付固定位置は、ボルト頭部受溝６５及び係止溝６６の長さ寸法の範囲内において任意に調整することができる。係止部材５は、常にフロントガード４の背後に隠蔽されている。
【００２２】
フロントガード４の支持アーム部２１の背面側には、ロック機構格納室７２が形成されている。ロック機構７としては、公知のシリンダー錠が使用されている。支持アーム部２１のビス孔７６に螺合した固定ビス７５の先端部を固定本体７３に螺合した溝付きリング７４に係合させることによって、ロックユニット７が支持アーム部２１に固定されている。ジョイントカム格納室７７はロック機構格納室７２の延長上に形成されている。
【００２３】
ロック機構７のロータ８を解錠方向に回すことによって、クロー９の先端突起４０をシャックル６のロック溝３８から引き出して、シャックル６を降下させ、可動ベース２の連結アーム部１８とフロントガード４の支持アーム部２１の相互連結を解除した後、筐体１に対する可動ベース２の締付固定を解除することによって、可動ベース２を後退スライドさせ、連結アーム部１８を支持アーム部２１の空洞部２２から引き出す。これによって、扉３は左側のヒンジ(図示していない)を中心に開放することができる。
【符号の説明】
【００２４】
１  筐体
２  可動ベース
３  扉
４  フロントガード
５  係止部材
６  シャックル
７  ロック機構
８  ロータ
９  クロー
１０  可動ベースの取付孔
１１  ボルト座
１２  筐体の側面壁
１３  側面壁の貫通孔
１４  ボルト
１５  スペーサー
１６  ナット
１７  板ワッシャー
１８  可動ベースの連結アーム部
１９  連結アーム部の水平壁部
２０  連結アーム部の垂直連結孔
２１  フロントガードの支持アーム部
２２  支持アーム部の空洞部
２３  空洞部の上面壁部
２４  空洞部の下面壁部
２５  上位側のシャックル受孔
２６  下位側のシャックル受孔
２７  支持アーム部のバネ格納室
２８  シャックル付勢用バネ部材
２９  ピン格納室
３０  抜け止めピン
３１  ピン格納室の垂直内壁
３２  垂直内壁の水平ピン受溝
３３  ピン格納室の背面側開口部用副裏板
３４  副裏板のビス挿入孔
３５  支持アーム部のビス
３６  副裏板用ビス
３７  副裏板の基端板部
３８  シャックルのロック溝
３９  シャックルのガイド溝
４０  クローの先端突起
４１  クロー付勢用バネ部材
４２  ワッシャー
４３  支持アーム部のクロー格納溝
４４  主裏板のビス挿入孔
４５  主裏板のビス挿入孔
４６  支持アーム部のビス孔
４７  支持アーム部のビス孔
４８  ビス
４９  ビス
５０  クローの従動溝
５１  ジョイントカム
５２  ジョイントカムの駆動突起
５３  ジョイントカムの接続孔
５４  位置決め突起
５５  ロック機構のキー孔
５６  正規キー
５７  クローの傾斜カム面
５８  主裏板のクロー当板部
５９  扉の前面壁
６０  扉の水平孔
６１  係止部材の水平ボルト
６２  係止部材のナット
６３  平型バネワッシャー
６４  カラーワッシャー
６５  ボルト頭部受溝
６６  鍔部受溝
６７  ボルト頭部の環状鍔部
６８  ゴムシート
６９  水平ボルトの頭部
７０  ボルト頭部受溝の上面壁部
７１  ボルト頭部受溝の下面壁部
７２  ロック機構格納室
７３  ロック機構の固定本体
７４  溝付きリング
７５  ロック機構固定用ビス
７６  支持アーム部のビス孔
７７  ジョイントカム格納室
７８  キャップ部材
７９  六角穴付き止めビス
８０  ゴムシートのボルト逃げ溝
【図１】
2011190669.tif 000003
【図２】
2011190669.tif 000004
【図３】
2011190669.tif 000005
【図４】
2011190669.tif 000006
【図５】
2011190669.tif 000007
【図６】
2011190669.tif 000008
【図７】
2011190669.tif 000009
【図８】
2011190669.tif 000010
【図９】
2011190669.tif 000011
【図１０】
2011190669.tif 000012
【図１１】
2011190669.tif 000013
【図１２】
2011190669.tif 000014
【図１３】
2011190669.tif 000015
【図１４】
2011190669.tif 000016
【図１５】
2011190669.tif 000017
【図１６】
2011190669.tif 000018
【図１７】
2011190669.tif 000019
【図１８】
2011190669.tif 000020
【図１９】
2011190669.tif 000021
【図２０】
2011190669.tif 000022
【図２１】
2011190669.tif 000023
【図２２】
2011190669.tif 000024
【図２３】
2011190669.tif 000025
【図２４】
2011190669.tif 000026
【図２５】
2011190669.tif 000027
【図２６】
2011190669.tif 000028
【図２７】
2011190669.tif 000029
【図２８】
2011190669.tif 000030